(57)【要約】【課題】手ブレ防止オートフォーカスモジュールの共振抑制方法及びその構造の提供。【解決手段】  手ブレ防止オートフォーカスモジュールの共振抑制方法は、第１可動部と第１不可動部を具えたオートフォーカス構造を設置し、第２可動部と第２不可動部とを具えた手ブレ防止構造を設置し、少なくとも一つの振動吸収材料を該第１可動部と該第１不可動部の間、及び、該第２可動部と該第２不可動部の間に加え、該振動吸収材料を使用し、該第１可動部と該第２可動部が動作により発生する振動を吸収し、これにより該第１可動部と該第２可動部が動作により発生し得る共振を抑制する。【選択図】図３
2015146040.tif 000002
【特許請求の範囲】
【請求項１】
手ブレ防止オートフォーカスモジュールの共振抑制方法において、
第１可動部と第１不可動部を有し、該第１可動部はレンズを載置して光線軸方向に添ってフォーカス動作を実行する、オートフォーカス構造を設置するステップと、
第２可動部と第２不可動部を有し、該第２可動部が画像補正動作を実行可能である、手ブレ防止構造を設置するステップと、
一組の振動吸収材料を、該第１可動部と該第１不可動部の間に加え、もう一組の振動吸収材料を、該第２可動部と該第２不可動部の間に加えるステップと、
これら二組の該振動吸収材料により該第１可動部がフォーカス動作で発生する振動と該第２可動部が動作により発生し得る振動をそれぞれ吸収し、該第１可動部と該第２可動部が動作により発生し得る共振を抑制するステップと、
を包含したことを特徴とする、手ブレ防止オートフォーカスモジュールの共振抑制方法。
【請求項２】
請求項１記載の手ブレ防止オートフォーカスモジュールの共振抑制方法において、該振動吸収材料は、軟性ゲル、軟性バネ、軟性ゴム或いは振動吸収ゴムテープのいずれかとされ得ることを特徴とする、手ブレ防止オートフォーカスモジュールの共振抑制方法。
【請求項３】
請求項１記載の手ブレ防止オートフォーカスモジュールの共振抑制方法において、該オートフォーカス構造は、
レンズ載置シートであって、該第１可動部とされ、中心に該レンズが取付けられ、四周がコイルで被覆された上記レンズ載置シートと、
フレームであって、第１不可動部とされ、中心に該レンズ載置シートを収容し、該フレームの側縁に複数の磁性素子が嵌め込まれ、該コイルの外側に対応し、且つ該コイルと不接触である、上記フレームと、
を包含することを特徴とする、手ブレ防止オートフォーカスモジュールの共振抑制方法。
【請求項４】
請求項３記載の手ブレ防止オートフォーカスモジュールの共振抑制方法において、該フレームの側縁と該レンズ載置シートの間に、該振動吸収材料が加えられることを特徴とする、手ブレ防止オートフォーカスモジュールの共振抑制方法。
【請求項５】
請求項３記載の手ブレ防止オートフォーカスモジュールの共振抑制方法において、該フレームの側縁に収容溝が開設されて該振動吸収材料の収容に用いられることを特徴とする、手ブレ防止オートフォーカスモジュールの共振抑制方法。
【請求項６】
請求項１記載の手ブレ防止オートフォーカスモジュールの共振抑制方法において、該手ブレ防止構造は、
外枠であって、該第２不可動部とされ、該外枠は該オートフォーカス構造に接続されている上記外枠と、
載置基板であって、その上に画像検出素子が設けられ、該外枠に接続されて、該第２不可動部とされる上記載置基板と、
レンズフレームであって、その上に補正レンズが配設され、該第２可動部とされる上記レンズフレームと、
少なくとも一つのフレキシブル部品であって、該第２可動部と該第２不可動部の間に接続されて、該補正レンズを該光線軸方向上に懸吊するのに用いられる上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、且つ相互に対応する間に、該振動吸収材料が加えられることを特徴とする、手ブレ防止オートフォーカスモジュールの共振抑制方法。
【請求項７】
請求項６記載の手ブレ防止オートフォーカスモジュールの共振抑制方法において、該フレキシブル部品は、該補正レンズを、該オートフォーカス構造と該画像検出素子の間に懸吊することを特徴とする、手ブレ防止オートフォーカスモジュールの共振抑制方法。
【請求項８】
請求項６記載の手ブレ防止オートフォーカスモジュールの共振抑制方法において、該フレキシブル部品は、複数の懸吊線とされることを特徴とする、手ブレ防止オートフォーカスモジュールの共振抑制方法。
【請求項９】
請求項６記載の手ブレ防止オートフォーカスモジュールの共振抑制方法において、該フレキシブル部品は、一つの弾性片とされることを特徴とする、手ブレ防止オートフォーカスモジュールの共振抑制方法。
【請求項１０】
請求項１記載の手ブレ防止オートフォーカスモジュールの共振抑制方法において、該手ブレ防止構造は、
外枠であって、該第２不可動部とされる上記外枠と、
載置基板であって、その上に画像検出素子が設けられ、該外枠に接続されて、該第２不可動部とされる上記載置基板と、
少なくとも一つのフレキシブル部品であって、該オートフォーカス構造と該第２不可動部の間に接続され、該オートフォーカス構造を該第２可動部となし、該オートフォーカス構造を該外枠内部の光線軸方向上に懸吊する上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、且つ相互に対応する間に、該振動吸収材料が加えられることを特徴とする、手ブレ防止オートフォーカスモジュールの共振抑制方法。
【請求項１１】
請求項１０記載の手ブレ防止オートフォーカスモジュールの共振抑制方法において、該フレキシブル部品は、複数の懸吊線とされることを特徴とする、手ブレ防止オートフォーカスモジュールの共振抑制方法。
【請求項１２】
請求項１０記載の手ブレ防止オートフォーカスモジュールの共振抑制方法において、該フレキシブル部品は、一つの弾性片とされることを特徴とする、手ブレ防止オートフォーカスモジュールの共振抑制方法。
【請求項１３】
請求項１記載の手ブレ防止オートフォーカスモジュールの共振抑制方法において、該手ブレ防止構造は、
外枠であって、該第２不可動部とされて、該外枠は該オートフォーカス構造に接続される上記外枠と、
載置基板であって、その上に画像検出素子が設けられ、該第２可動部とされる上記載置基板と、
少なくとも一つのフレキシブル部品であって、該第２可動部と該第２不可動部の間に接続され、該載置基板を該オートフォーカス構造の下方の光線軸方向上に懸吊する上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、且つ相互に対応する間に、該振動吸収材料が加えられることを特徴とする、手ブレ防止オートフォーカスモジュールの共振抑制方法。
【請求項１４】
請求項１３記載の手ブレ防止オートフォーカスモジュールの共振抑制方法において、該フレキシブル部品は、複数の懸吊線とされることを特徴とする、手ブレ防止オートフォーカスモジュールの共振抑制方法。
【請求項１５】
請求項１３記載の手ブレ防止オートフォーカスモジュールの共振抑制方法において、該フレキシブル部品は、一つの弾性片とされることを特徴とする、手ブレ防止オートフォーカスモジュールの共振抑制方法。
【請求項１６】
請求項１記載の手ブレ防止オートフォーカスモジュールの共振抑制方法において、該第１可動部と該第２可動部が接続され、該第２可動部と該第２不可動部の間にのみ振動吸収材料が加えられて、該第１可動部と該第１不可動部の間の振動吸収材料が省略されたことを特徴とする、手ブレ防止オートフォーカスモジュールの共振抑制方法。
【請求項１７】
共振を抑制する手ブレ防止オートフォーカスモジュールにおいて、
第１可動部と第１不可動部を有し、該第１可動部はレンズを載置して光線軸方向に添ってフォーカス動作を実行する、オートフォーカス構造と、
第２可動部と第２不可動部を有し、該第２可動部が画像補正動作を実行可能である、手ブレ防止構造と、
一組の振動吸収材料が該第１可動部と該第１不可動部の間に加えられ、もう一組の振動吸収材料が該第２可動部と該第２不可動部の間に加えられ、それぞれ該第１可動部がフォーカス動作で発生する振動と、該第２可動部が動作により発生し得る振動を吸収し、該第１可動部と該第２可動部が動作により発生し得る共振を抑制する、少なくとも一つの振動吸収材料と、
を包含したことを特徴とする、共振を抑制する手ブレ防止オートフォーカスモジュール。
【請求項１８】
請求項１７記載の共振を抑制する手ブレ防止オートフォーカスモジュールにおいて、該振動吸収材料は、軟性ゲル、軟性バネ、軟性ゴム或いは振動吸収ゴムテープのいずれかとされ得ることを特徴とする、共振を抑制する手ブレ防止オートフォーカスモジュール。
【請求項１９】
請求項１７記載の共振を抑制する手ブレ防止オートフォーカスモジュールにおいて、該オートフォーカス構造は、
レンズ載置シートであって、該第１可動部とされ、中心に該レンズが取付けられ、四周がコイルで被覆された上記レンズ載置シートと、
フレームであって、第１不可動部とされ、中心に該レンズ載置シートを収容し、該フレームの側縁に複数の磁性素子が嵌め込まれ、該コイルの外側に対応し、且つ該コイルと不接触である、上記フレームと、
を包含することを特徴とする、共振を抑制する手ブレ防止オートフォーカスモジュール。
【請求項２０】
請求項１９記載の共振を抑制する手ブレ防止オートフォーカスモジュールにおいて、該フレームの側縁と該レンズ載置シートの間に、該振動吸収材料が加えられることを特徴とする、共振を抑制する手ブレ防止オートフォーカスモジュール。
【請求項２１】
請求項１９記載の共振を抑制する手ブレ防止オートフォーカスモジュールにおいて、該フレームの側縁に収容溝が開設されて該振動吸収材料の収容に用いられることを特徴とする、共振を抑制する手ブレ防止オートフォーカスモジュール。
【請求項２２】
請求項１７記載の共振を抑制する手ブレ防止オートフォーカスモジュールにおいて、該手ブレ防止構造は、
外枠であって、該第２不可動部とされ、該外枠は該オートフォーカス構造に接続されている上記外枠と、
載置基板であって、その上に画像検出素子が設けられ、該外枠に接続されて、該第２不可動部とされる上記載置基板と、
レンズフレームであって、その上に補正レンズが配設され、該第２可動部とされる上記レンズフレームと、
少なくとも一つのフレキシブル部品であって、該第２可動部と該第２不可動部の間に接続されて、該補正レンズを該光線軸方向上に懸吊するのに用いられる上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、且つ相互に対応する間に、該振動吸収材料が加えられることを特徴とする、共振を抑制する手ブレ防止オートフォーカスモジュール。
【請求項２３】
請求項２２記載の共振を抑制する手ブレ防止オートフォーカスモジュールにおいて、該フレキシブル部品は、該補正レンズを、該オートフォーカス構造と該画像検出素子の間に懸吊することを特徴とする、共振を抑制する手ブレ防止オートフォーカスモジュール。
【請求項２４】
請求項２２記載の共振を抑制する手ブレ防止オートフォーカスモジュールにおいて、該フレキシブル部品は、複数の懸吊線とされることを特徴とする、共振を抑制する手ブレ防止オートフォーカスモジュール。
【請求項２５】
請求項２２記載の共振を抑制する手ブレ防止オートフォーカスモジュールにおいて、該フレキシブル部品は、一つの弾性片とされることを特徴とする、共振を抑制する手ブレ防止オートフォーカスモジュール。
【請求項２６】
請求項１７記載の共振を抑制する手ブレ防止オートフォーカスモジュールにおいて、該手ブレ防止構造は、
外枠であって、該第２不可動部とされる上記外枠と、
載置基板であって、その上に画像検出素子が設けられ、該外枠に接続されて、該第２不可動部とされる上記載置基板と、
少なくとも一つのフレキシブル部品であって、該オートフォーカス構造と該第２不可動部の間に接続され、該オートフォーカス構造を該第２可動部となし、該オートフォーカス構造を該外枠内部の光線軸方向上に懸吊する上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、且つ相互に対応する間に、該振動吸収材料が加えられることを特徴とする、共振を抑制する手ブレ防止オートフォーカスモジュール。
【請求項２７】
請求項２６記載の共振を抑制する手ブレ防止オートフォーカスモジュールにおいて、該フレキシブル部品は、複数の懸吊線とされることを特徴とする、共振を抑制する手ブレ防止オートフォーカスモジュール。
【請求項２８】
請求項２６記載の共振を抑制する手ブレ防止オートフォーカスモジュールにおいて、該フレキシブル部品は、一つの弾性片とされることを特徴とする、共振を抑制する手ブレ防止オートフォーカスモジュール。
【請求項２９】
請求項１７記載の共振を抑制する手ブレ防止オートフォーカスモジュールにおいて、該手ブレ防止構造は、
外枠であって、該第２不可動部とされて、該外枠は該オートフォーカス構造に接続される上記外枠と、
載置基板であって、その上に画像検出素子が設けられ、該第２可動部とされる上記載置基板と、
少なくとも一つのフレキシブル部品であって、該第２可動部と該第２不可動部の間に接続され、該載置基板を該オートフォーカス構造の下方の光線軸方向上に懸吊する上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、且つ相互に対応する間に、該振動吸収材料が加えられることを特徴とする、共振を抑制する手ブレ防止オートフォーカスモジュール。
【請求項３０】
請求項２９記載の共振を抑制する手ブレ防止オートフォーカスモジュールにおいて、該フレキシブル部品は、複数の懸吊線とされることを特徴とする、共振を抑制する手ブレ防止オートフォーカスモジュール。
【請求項３１】
請求項２９記載の共振を抑制する手ブレ防止オートフォーカスモジュールにおいて、該フレキシブル部品は、一つの弾性片とされることを特徴とする、共振を抑制する手ブレ防止オートフォーカスモジュール。
【請求項３２】
請求項２９記載の共振を抑制する手ブレ防止オートフォーカスモジュールにおいて、該第１可動部と該第２可動部が接続され、該第２可動部と該第２不可動部の間にのみ振動吸収材料が加えられて、該第１可動部と該第１不可動部の間の振動吸収材料が省略されたことを特徴とする、共振を抑制する手ブレ防止オートフォーカスモジュール。
【発明の詳細な説明】
【技術分野】
【０００１】
本発明は一種の手ブレ防止オートフォーカスモジュールの共振抑制方法及びその構造に係り、特に、手ブレ防止構造とレンズのオートフォーカス構造の相互間に移動時に発生する共振を抑制でき、並びに外在環境の振動周波数とコントロールＩＣの制御周波数と交互に発生する共振を抑制し、全体の手ブレ防止オートフォーカスモジュールの動作を安定させる方法に関する。
【背景技術】
【０００２】
ハンドヘルド式装置に撮影機能を配備させる風潮のため、手ブレ防止機能のついたレンズモジュールはハイレベルのハンドヘルド装置にも使用されるようになった。このため、手ブレ防止機能を具えたオートフォーカスモジュールに関しては、非常に多くの特許文献があり、例えば本出願人による特許文献１、特許文献２、特許文献３等がある。
【０００３】
しかし、レンズのオートフォーカス構造は、フォーカスの際に定位に移動する時に軽微な振動現象を発生し、その後に、ゆっくりと動態から静態に移行する。この動態から静態に至るまでに必要な時間を、応答時間（ｒｅｓｐｏｎｓｅ  ｔｉｍｅ）と称する。本願の出願人はまた、オートフォーカスモジュール上の振動現象を抑制して応答時間を短縮するため、特許文献４を出願している。
【先行技術文献】
【特許文献】
【０００４】
【特許文献１】米国特許出願第７，８８１，５９８号明細書
【特許文献２】特願２０１０−６７５２０号明細書
【特許文献３】特願２０１０−２５０４５４号明細書
【特許文献４】米国特許出願第７，５９０，３４２号明細書
【発明の概要】
【発明が解決しようとする課題】
【０００５】
ただし、手ブレ防止構造中でも、画像の移動補正動作により軽微な振動現象が発生し得て、且つ撮影時、フォーカス動作及び手ブレ防止動作は同時に実行され、このため、両者の振動現象が、環境により相互間の交互共振を発生し得て、且つ手ブレ防止構造及びオートフォーカス構造もまた、コントロールＩＣの制御周波数と外在環境の振動周波数と交互に共振を発生するため、手ブレ防止オートフォーカスモジュールの失効或いは異常がもたらされ得る。
【０００６】
例えば、走行中の自動車で、該自動車の振動周波数、カメラを保持して撮影する時の手部の振動周波数、オートフォーカス構造のフォーカス振動周波数、及び手ブレ防止構造の画像補正振動周波数の、これら四種類の振動周波数が同時に発生する時、相互に接近する振動周波数が共振モードを誘発し得て、このために全体の手ブレ防止オートフォーカスモジュールが正確に動作できなくなり、失効する。
【０００７】
このような共振モードは、全体の手ブレ防止オートフォーカスモジュールの動作に非常に大きな影響を与える。ゆえに、このような共振モードを抑制する必要があり、それによって全体の手ブレ防止オートフォーカスモジュールを正常に動作させることができる。これにより、本願発明人は、一種の手ブレ防止オートフォーカスモジュールの共振抑制方法及びその構造を提供し、オートフォーカス構造と手ブレ防止構造中にそれぞれ振動吸収材料を加えて振動を吸収することで、発生する可能性のある共振現象を抑制する。
【課題を解決するための手段】
【０００８】
本発明の主要な技術特徴は、一種の手ブレ防止オートフォーカスモジュールの共振抑制方法を提供することにあり、該方法は、まず、オートフォーカス構造内に、第１可動部と、第１不可動部とを設け、該第１可動部はレンズを載置し、光線軸方向に添ってフォーカス動作を行えるものとし、続いて、手ブレ防止構造内に、第２可動部と第２不可動部を設け、該第２可動部は画像補正の動作を実行できるものとし、その後、少なくとも一つの振動吸収材料を該第１可動部と該第１不可動部の間、及び、該第２可動部と該第２不可動部の間に加え、最後に、該振動吸収材料を使用し、該第１可動部が動作により発生する振動、及び、該第２可動部が動作により発生する振動を吸収し、これにより該第１可動部と該第２可動部が動作により発生し得る共振を抑制する。
【０００９】
本発明の次の技術特徴は、共振を抑制する手ブレ防止オートフォーカスモジュールを提供することにあり、該モジュールは、オートフォーカス構造であって、第１可動部と第１不可動部を具え、該第１可動部がレンズを載置し、光線軸方向に添ってフォーカス動作を行える上記オートフォーカス構造と、手ブレ防止構造であって、第２可動部と第２不可動部を具え、該第２可動部は画像補正の移動動作を実行できる上記手ブレ防止構造と、少なくとも一つの振動吸収材料であって、該第１可動部と該第１不可動部の間、及び、該第２可動部と該第２不可動部の間に加えられ、該第１可動部が動作により発生する振動、及び、該第２可動部が動作により発生する振動を吸収し、これにより該第１可動部と該第２可動部が動作により発生し得る共振を抑制する上記振動吸収材料と、を包含する。
【発明の効果】
【００１０】
本発明は一種の手ブレ防止オートフォーカスモジュールの共振抑制方法及びその構造を提供し、それは、手ブレ防止構造とレンズのオートフォーカス構造の相互間に移動時に発生する共振を抑制でき、並びに外在環境の振動周波数とコントロールＩＣの制御周波数と交互に発生する共振を抑制し、全体の手ブレ防止オートフォーカスモジュールの動作を安定させる方法と構造である。
【図面の簡単な説明】
【００１１】
【図１】本発明の手ブレ防止オートフォーカスモジュールの実施例の立体分解図である。
【図２】本発明のオートフォーカス構造及び手ブレ防止構造の第１実施例の側面断面図である。
【図３】本発明の手ブレ防止構造の第２実施例の側面断面図である。
【図４】本発明の弾性片をフレキシブル部品とした立体実施例断面図である。
【図５】本発明の弾性片の実施例の立体図である。
【図６】本発明の手ブレ防止構造の第３実施例の側面断面図である。
【図７】本発明の手ブレ防止構造の第４実施例の側面断面図である。
【発明を実施するための形態】
【００１２】
本発明の技術内容、構造特徴、達成する目的を詳細に説明するため、以下に実施例を挙げ並びに図面を組み合わせて説明する。
【００１３】
図１は本発明の手ブレ防止オートフォーカスモジュールの実施例の立体分解図である。本発明の手ブレ防止オートフォーカスモジュールは、少なくとも、外枠１０、オートフォーカス構造２０、手ブレ防止構造３０、画像検出素子４０を包含し、そのうち、該オートフォーカス構造２０、該手ブレ防止構造３０、及び、該画像検出素子４０はいずれも一つの光線軸方向上に位置する。
【００１４】
そのうち、該外枠１０には上板１１が設けられている。該オートフォーカス構造２０は、レンズ２１を載置して、光線軸方向（ｚ軸）に添ってオートフォーカスの動作を実行でき、それにより画像を該画像検出素子４０上にフォーカスする。該手ブレ防止構造３０は、該光線軸方向（ｚ軸）に垂直（ｘ軸或いはｙ軸）な方向の画像補正動作を行う。該画像検出素子４０は、載置基板４１上に設けられる。
【００１５】
本発明の共振抑制の方法は、主に二つの部分を包含する。第１部分は、該オートフォーカス構造２０がフォーカス動作実行時に発生する振動の抑制であり、該オートフォーカス構造２０の部品は、第１可動部と第１不可動部を包含する。本発明は、該第１可動部と該第１不可動部の間に、少なくとも一つの振動吸収材料、例えば軟性ゲル、軟性バネ、軟性ゴム或いは振動吸収ゴムテープ等を加え、該振動吸収材料を使用して該第１可動部が動作時に発生する振動を吸収し、これにより、該第１可動部動作により発生し得る共振を抑制する。以下に一つの実施例を挙げて説明する。
【００１６】
第２部分は、該手ブレ防止構造３０が画像補正動作を実行する時に発生する振動を抑制する。該手ブレ防止構造３０の部品は、第２可動部と第２不可動部に区分され得て、該第２可動部と該第２不可動部の間に少なくとも一つの振動吸収材料、例えば軟性ゲル、軟性バネ、軟性ゴム或いは振動吸収ゴムテープ等を加え、該振動吸収材料を使用して該第２可動部が動作時に発生する振動を吸収し、これにより、該第２可動部動作により発生し得る共振を抑制する。以下に三種類の実施例を挙げて説明する。
【００１７】
図２を参照されたい。図２は本発明の第１実施例の側面断面図である。並びに図１も併せて参照されたい。本実施例中、該オートフォーカス構造２０の第１可動部は該レンズ２１を載置してオートフォーカス動作を実行する。好ましくは、該オートフォーカス構造２０は少なくともレンズ載置シート２２及びフレーム２３を包含する。該レンズ載置シート２２の中心に該レンズ２１が取付けられ、該レンズ載置シート２２の四周はコイル２４で包囲され、該レンズ載置シート２２と該コイル２４はいずれも該第１可動部の部品とされる。
【００１８】
そのうち、該フレーム２３の中心に、該レンズ載置シート２２が収容され、該フレーム２３の側縁に四つの磁性素子２５が嵌め込まれ、該コイル２４の外側に対応し、且つこれら磁性素子２５は該コイル２４に不接触であり、該フレーム２３とその接続部品はいずれも該第１不可動部とされる。
【００１９】
そのうち、該磁性素子２５の側縁とコイル２４の間、すなわち、該第１可動部と該第１不可動部の間に、該振動吸収材料が加えられ、好ましくは、該フレーム２３の四周側縁に複数の収容溝（図示せず）が設けられて、該振動吸収材料５０が収容され、これら振動吸収材料５０が該フレーム２３と該コイル２４の間に接続される。
【００２０】
本発明の手ブレ防止構造の第１実施例において、該外枠１０は該手ブレ防止構造の第２不可動部とされ、該外枠１０は該オートフォーカス構造２０と該画像検出素子４０の載置基板４１に接続する。
【００２１】
該手ブレ防止構造３０の第２可動部にはレンズフレーム３１が配設され、その上に、補正レンズ３２が配設され、並びに少なくとも一つのフレキシブル部品により該第２可動部と該第２不可動部の間に接続され、本実施例では、該レンズフレーム３１と該外枠１０の上板１１の間に接続され、好ましくは、該フレキシブル部品は、四本の懸吊線３３或いは一つの弾性片とされ、該補正レンズ３２を該画像検出素子４０の上方に懸吊し、該光線軸方向上に対応させ、手ブレにより発生する画像偏移を補正できるようにする。
【００２２】
好ましくは、該手ブレ防止構造３０は、さらに磁石アセンブリ３４とコイルアセンブリ３５を包含する。そのうち、該磁石アセンブリ３４は、少なくとも一つのｘ軸磁石３４ｘと少なくとも一つのｙ軸磁石３４ｙを包含し、該コイルアセンブリ３５は、少なくとも一つのｘ軸コイル３５ｘと少なくとも一つのｙ軸コイル３５ｙを包含し、且つ該コイルアセンブリ３５は該磁石アセンブリ３４と相互に対応するが不接触である。
【００２３】
該磁石アセンブリ３４及び該コイルアセンブリ３５のうちの一方は、該第２可動部の部品に接続し、もう一方は該第２不可動部の部品に接続される。該磁石アセンブリ３４と該コイルアセンブリ３５の相互に対応する間に、該振動吸収材料５０が加えられて、該振動吸収材料５０が該第２可動部が発生し得る共振を抑制する。
【００２４】
図３を参照されたい。図３は本発明の手ブレ防止構造の第２実施例の側面断面図である。本実施例でも該外枠１０は該手ブレ防止構造３０の第２不可動部とされ、該外枠１０は該画像検出素子４０の載置基板４１に接続され、その内部に該オートフォーカス構造２０が収容される。
【００２５】
該手ブレ防止構造３０は、さらに、少なくとも一つのフレキシブル部品を具え、該フレキシブル部品は該第２可動部と該第２不可動部の間に接続され、本実施例では、該フレキシブル部品は、該オートフォーカス構造２０と該外枠１０の上板１１の間に接続され、特に、該オートフォーカス構造２０の第１不可動部は、該手ブレ防止構造３０の第２可動部とされる。
【００２６】
好ましくは、該フレキシブル部品は、４本の懸吊線３３（図３のとおり）とされるか、一つの弾性片３６とされ（図４のとおり）、図４は、フレキシブル部品の立体断面図である。該弾性片３６は該オートフォーカス構造２０を該外枠１０内部の光線軸方向上に懸吊し、該オートフォーカス構造２０の第１不可動部を該第２可動部となす。
【００２７】
図５は該弾性片３６の実施例の立体図である。該弾性片３６は、外周固定部３６１、外層活動部３６２、及び内層活動部３６３を包含する。そのうち、該外周固定部３６１は、該外枠１０の上板１１に固定接続される。該外層活動部３６２は、該外周固定部３６１の内周縁の内側に設けられた、平面視でそれぞれＵ形を呈するスロットが、該Ｕ形の開口が対向するように配設されてなり、該外層活動部３６２は該外周固定部３６１に、二組の対称に配置された第１支点３６４で接続され、該内層活動部３６３は該外層活動部３６２の内周縁の内側に設けられ、平面視でそれぞれＵ形を呈するスロットが、該Ｕ形の開口が対向するように配設されてなり、該外層活動部３６２のＵ形スロットに対して９０度角の位置に設けられ、該第１支点３６４に対して９０度角位置に設けられた二組の第２支点３６５で、該外層活動部３６２に接続され、且つ該内層活動部３６３は該オートフォーカス構造２０に接続される。
【００２８】
さらに、図４を参照されたい。そのうち、該外層活動部３６２は、該オートフォーカス構造２０に、傾斜揺動のｘ軸移動を行わせ、該内層活動部３６３は該オートフォーカス構造２０に傾斜揺動のｙ軸移動を行わせる。
【００２９】
好ましくは、該手ブレ防止構造３０はさらに、磁石アセンブリ３４とコイルアセンブリ３５を包含し、そのうち、該磁石アセンブリ３４は少なくとも一つのｘ軸磁石と少なくとも一つのｙ軸磁石を包含し、該コイルアセンブリ３５は少なくとも一つのｘ軸コイルと少なくとも一つのｙ軸コイルを包含し、且つ該磁石アセンブリ３４と相互に対応するが不接触である。
【００３０】
該磁石アセンブリ３４及び該コイルアセンブリ３５のそのうち一方は、該外枠１０或いはその接続部品に接続されて、該第２不可動部の部品、例えば該画像検出素子４０の載置基板４１とされ、もう一方は、該オートフォーカス構造２０に接続されて、該第２可動部の部品とされ、該磁石アセンブリ３４と該コイルアセンブリ３５が相互に対応する間に、該振動吸収材料５０が加えられる。
【００３１】
図６を参照されたい。図６は本発明の手ブレ防止構造の第３実施例の側面断面図である。本実施例でも、図１中の上板１１が該オートフォーカス構造２０の第１不可動部とされ、該外枠１０は該オートフォーカス構造２０に接続される。
【００３２】
該手ブレ防止構造３０は、さらに、少なくとも一つのフレキシブル部品を包含し、該フレキシブル部品は、該第２可動部と該第２不可動部の間に接続される。本実施例では、該フレキシブル部品は、該画像検出素子４０の載置基板４１と該外枠１０の上板１１の間に接続される。好ましくは、該フレキシブル部品は、４本の懸吊線３３或いは一つの弾性片とされて、該載置基板４１を該オートフォーカス構造２０の下方の該光線軸方向上に懸吊するのに用いられ、これにより、該載置基板４１が該第２可動部とされる。
【００３３】
好ましくは、該手ブレ防止構造３０は、さらに、磁石アセンブリ３４とコイルアセンブリ３５とを包含する。そのうち、該磁石アセンブリ３４は少なくとも一つのｘ軸磁石と少なくとも一つのｙ軸磁石を包含し、該コイルアセンブリ３５は少なくとも一つのｘ軸コイルと少なくとも一つのｙ軸コイルを包含し、且つ該磁石アセンブリ３４と相互に対応するが不接触である。
【００３４】
該磁石アセンブリ３４及び該コイルアセンブリ３５のそのうち一方は、該外枠１０或いはその接続部品、例えば該外枠１０に接続されて、該第２不可動部の部品とされ、もう一方は、該載置基板４１に接続されて、該第２可動部の部品とされ、該磁石アセンブリ３４と該コイルアセンブリ３５が相互に対応する間に、該振動吸収材料５０が加えられる。
【００３５】
図７を参照されたい。図７は本発明の手ブレ防止構造の第４実施例の側面断面図である。本実施例において、該オートフォーカス構造２０は、該手ブレ防止構造３０のレンズフレーム３１と接続され、すなわち、該第１可動部と該第２可動部が接続されて一つの可動部を形成しており、該第１不可動部と該第２不可動部が一つの不可動部を形成している。これにより、該磁石アセンブリ３４と該コイルアセンブリ３５（第２可動部と第２不可動部）の間に、該振動吸収材料５０を加えるだけで、すなわち、振動吸収材料を該可動部と該不可動部の間に加えるだけで、該振動吸収材料５０により該可動部が発生し得る共振を抑制し、該磁性素子２５の側縁とコイル２４（第１可動部と第１不可動部）の間に加える振動吸収材料を省略できる。
【００３６】
ゆえに、本発明は上述に記載の技術により、周知ものとは異なる設計を提供しており、全体の使用価値を高め、また、その出願前に頒布された刊行物に記載されておらず、或いは公開使用されていないため、特許の要件に符合し、ここに特許出願する次第です。
【符号の説明】
【００３７】
１０  外枠
１１  上板
２０  オートフォーカス構造
２１  レンズ
２２  レンズ載置シート
２３  フレーム
２４  コイル
２５  磁性素子
３０  手ブレ防止構造
３１  レンズフレーム
３２  補正レンズ
３３  懸吊線
３４  磁石アセンブリ
３４ｘ  ｘ軸磁石
３４ｙ  ｙ軸磁石
３５  コイルアセンブリ
３５ｘ  ｘ軸コイル
３５ｙ  ｙ軸コイル
３６  弾性片
３６１  外周固定部
３６２  外層活動部
３６３  内層活動部
３６４  第１支点
３６５  第２支点
４０  画像検出素子
４１  載置基板
５０  振動吸収材料
【図１】
2015146040.tif 000003
【図２】
2015146040.tif 000004
【図３】
2015146040.tif 000005
【図４】
2015146040.tif 000006
【図５】
2015146040.tif 000007
【図６】
2015146040.tif 000008
【図７】
2015146040.tif 000009
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
共振を抑制する手ブレ防止オートフォーカスモジュールにおいて、
第１可動部と第１不可動部を有し、該第１可動部はレンズを載置して光線軸方向に添ってフォーカス動作を実行するレンズ載置シートとされ、且つ該第１不可動部は該レンズ載置シートを収容するフレームとされるオートフォーカス構造と、
第２可動部と第２不可動部を有し、該第２可動部が画像補正動作を実行可能である、手ブレ防止構造と、
一つの振動吸収材料が該第１可動部と該第１不可動部の間に加えられ、他の一つの振動吸収材料が該第２可動部と該第２不可動部の間に加えられ、それぞれ該第１可動部が該フォーカス動作で発生する振動と、該第２可動部が該画像補正動作により発生し得る振動を吸収し、該第１可動部と該第２可動部が動作により発生し得る共振を抑制する、少なくとも二つの振動吸収材料と、
を包含し
該手ブレ防止構造は、
外枠であって、該第２不可動部とされ、該外枠は該オートフォーカス構造に接続されている上記外枠と、
載置基板であって、画像検出素子が設けられており、該外枠に接続されて、該第２不可動部とされる上記載置基板と、
レンズフレームであって、補正レンズが配設されており、該第２可動部とされる上記レンズフレームと、
少なくとも一つのフレキシブル部品であって、該第２可動部と該第２不可動部の間に接続されて、該補正レンズを該光線軸方向上に懸吊するのに用いられる上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、該コイルアセンブリ又は該磁石アセンブリが接続された該第２可動部と該第２不可動部の間に、該他の一つの振動吸収材料が加えられることを特徴とする、共振を抑制する手ブレ防止オートフォーカスモジュール。
【請求項２】
共振を抑制する手ブレ防止オートフォーカスモジュールにおいて、
第１可動部と第１不可動部を有し、該第１可動部はレンズを載置して光線軸方向に添ってフォーカス動作を実行するレンズ載置シートとされ、且つ該第１不可動部は該レンズ載置シートを収容するフレームとされるオートフォーカス構造と、
第２可動部と第２不可動部を有し、該第２可動部が画像補正動作を実行可能である、手ブレ防止構造と、
一つの振動吸収材料が該第１可動部と該第１不可動部の間に加えられ、他の一つの振動吸収材料が該第２可動部と該第２不可動部の間に加えられ、それぞれ該第１可動部が該フォーカス動作で発生する振動と、該第２可動部が該画像補正動作により発生し得る振動を吸収し、該第１可動部と該第２可動部が動作により発生し得る共振を抑制する、少なくとも二つの振動吸収材料と、
を包含し
該手ブレ防止構造は、
外枠であって、該第２不可動部とされる上記外枠と、
載置基板であって、画像検出素子が設けられており、該外枠に接続されて、該第２不可動部とされる上記載置基板と、
少なくとも一つのフレキシブル部品であって、該オートフォーカス構造と該第２不可動部の間に接続され、該オートフォーカス構造を該第２可動部となし、該オートフォーカス構造を該外枠内部の該光線軸方向上に懸吊する上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、該コイルアセンブリ又は該磁石アセンブリが接続された該第２可動部と該第２不可動部の間に、該他の一つの振動吸収材料が加えられることを特徴とする、共振を抑制する手ブレ防止オートフォーカスモジュール。
【請求項３】
共振を抑制する手ブレ防止オートフォーカスモジュールにおいて、
第１可動部と第１不可動部を有し、該第１可動部はレンズを載置して光線軸方向に添ってフォーカス動作を実行するレンズ載置シートとされ、且つ該第１不可動部は該レンズ載置シートを収容するフレームとされるオートフォーカス構造と、
第２可動部と第２不可動部を有し、該第２可動部が画像補正動作を実行可能である、手ブレ防止構造と、
一つの振動吸収材料が該第１可動部と該第１不可動部の間に加えられ、他の一つの振動吸収材料が該第２可動部と該第２不可動部の間に加えられ、それぞれ該第１可動部が該フォーカス動作で発生する振動と、該第２可動部が該画像補正動作により発生し得る振動を吸収し、該第１可動部と該第２可動部が動作により発生し得る共振を抑制する、少なくとも二つの振動吸収材料と、
を包含し
該手ブレ防止構造は、
外枠であって、該第２不可動部とされて、該外枠は該オートフォーカス構造に接続される上記外枠と、
載置基板であって、画像検出素子が設けられており、該第２可動部とされる上記載置基板と、
少なくとも一つのフレキシブル部品であって、該第２可動部と該第２不可動部の間に接続され、該載置基板を該オートフォーカス構造の下方の光線軸方向上に懸吊する上記フレキシブル部品と、
磁石アセンブリであって、少なくとも一つのｘ軸磁石と少なくとも一つのｙ軸磁石とを包含する上記磁石アセンブリと、
コイルアセンブリであって、少なくとも一つのｘ軸コイルと少なくとも一つのｙ軸コイルとを包含し、且つ該磁石アセンブリと相互に対応するが不接触である上記コイルアセンブリと、
を包含し、該コイルアセンブリと該磁石アセンブリのうち一方は、該第２可動部に接続され、もう一方は該第２不可動部に接続され、該コイルアセンブリ又は該磁石アセンブリが接続された該第２可動部と該第２不可動部の間に、該他の一つの振動吸収材料が加えられることを特徴とする、共振を抑制する手ブレ防止オートフォーカスモジュール。
【請求項４】
請求項１〜３のいずれかに記載の共振を抑制する手ブレ防止オートフォーカスモジュールにおいて、該振動吸収材料は、軟性ゲル、軟性バネ、軟性ゴム或いは振動吸収ゴムテープのいずれかとされ得ることを特徴とする、共振を抑制する手ブレ防止オートフォーカスモジュール。
【請求項５】
請求項１〜３のいずれかに記載の共振を抑制する手ブレ防止オートフォーカスモジュールにおいて、該オートフォーカス構造は、
該レンズ載置シートの中心に該レンズが取付けられ、四周がコイルで被覆されており、
該フレームの中心に該レンズ載置シートを収容し、該フレームの側縁に複数の磁性素子が嵌め込まれ、該コイルの外側に対応し、且つ該コイルと不接触である、
ことを特徴とする、共振を抑制する手ブレ防止オートフォーカスモジュール。
【請求項６】
請求項５記載の共振を抑制する手ブレ防止オートフォーカスモジュールにおいて、該フレームの側縁と該レンズ載置シートの間に、該一つの振動吸収材料が加えられることを特徴とする、共振を抑制する手ブレ防止オートフォーカスモジュール。
【請求項７】
請求項５記載の共振を抑制する手ブレ防止オートフォーカスモジュールにおいて、該フレームの側縁に収容溝が開設されて該一つの振動吸収材料の収容に用いられることを特徴とする、共振を抑制する手ブレ防止オートフォーカスモジュール。
【請求項８】
請求項１記載の共振を抑制する手ブレ防止オートフォーカスモジュールにおいて、該フレキシブル部品は、該補正レンズを、該オートフォーカス構造と該画像検出素子の間に懸吊することを特徴とする、共振を抑制する手ブレ防止オートフォーカスモジュール。
【請求項９】
請求項１〜８のいずれかに記載の共振を抑制する手ブレ防止オートフォーカスモジュールにおいて、該フレキシブル部品は、複数の懸吊線とされることを特徴とする、共振を抑制する手ブレ防止オートフォーカスモジュール。
【請求項１０】
請求項１〜８のいずれかに記載の共振を抑制する手ブレ防止オートフォーカスモジュールにおいて、該フレキシブル部品は、一つの弾性片とされることを特徴とする、共振を抑制する手ブレ防止オートフォーカスモジュール。
【請求項１１】
請求項１記載の共振を抑制する手ブレ防止オートフォーカスモジュールにおいて、該第１可動部と該第２可動部が接続されて一つの可動部を形成していることを特徴とする、共振を抑制する手ブレ防止オートフォーカスモジュール。